(57)【要約】【課題】通信のオーバヘッドを大きく損うことなく、ホッピングパターンの衝突による受信性能の低下を防ぐことのできる無線通信システムの受信装置を提供する【解決手段】ホッピングパターンの衝突が起きている受信シンボルを検出し、その受信シンボルを、正常に伝送されたシンボルに影響を与えない信号であるヌルシンボルに置き換えて誤り訂正復号を行う。【選択図】図３
2006165697.tif 000002
【特許請求の範囲】
【請求項１】
周波数または時間ホッピング方式の無線通信システムの受信装置であって、  自局宛ての送信信号と他局宛ての送信信号との間でホッピングパターンの衝突が起きている受信シンボルを検出するホッピングパターン衝突検出手段と、
誤り訂正符号化された受信信号に対して、前記ホッピングパターン衝突検出手段により検出された前記受信シンボルをヌルシンボルに置換するヌルシンボル置換手段と、
前記ヌル信号置換手段の出力に対して誤り訂正復号を行う誤り訂正復号手段と
を具備することを特徴とする受信装置。
【請求項２】
前記ホッピングパターン衝突検出手段は、
前記誤り訂正復号手段による誤り訂正に成功した受信信号を誤り訂正符号化する誤り訂正符号化手段と、
前記誤り訂正符号化手段により誤り訂正符号化された信号と、前記誤り訂正復号手段による誤り訂正復号前の同一ブロックの受信信号とを比較して、誤りの発生しているビット位置を検出する誤り位置検出手段と、
誤りの発生率が閾値を上回るビット位置を、ホッピングパターンの衝突が起きているシンボル位置として判定する誤りシンボル位置判定手段と
を具備することを特徴とする請求項１に記載の受信装置。
【請求項３】
前記ホッピングパターン衝突検出手段は、
受信シンボル毎に、推定した理想受信信号と受信信号の差分電力を、自局宛ての送信信号と他局宛ての送信信号との間でホッピングパターンの衝突による干渉信号の電力として推定する干渉電力推定手段と、
前記干渉電力推定手段により推定された干渉電力に基づいてホッピングパターンの衝突が起きているシンボルを判定する誤りシンボル判定手段と
を具備することを特徴とする請求項１に記載の受信装置。
【請求項４】
前記ヌル信号置換手段の出力に対して誤り訂正復号を行う誤り訂正復号手段を第１の誤り訂正復号手段として、この第１の誤り訂正復号手段とは別個に設けられ、誤り訂正符号化された受信信号に対して誤り訂正復号を行う第２の誤り訂正復号手段と、
前記第１の誤り訂正復号手段および前記第２の誤り訂正復号手段のそれぞれの出力のうち正しく誤り訂正復号できたいずれか一方の出力を選択する選択手段とをさらに具備することを特徴とする請求項１に記載の受信装置。
【請求項５】
ホッピングパターンが衝突しているシンボル数が閾値を上回り、かつ、誤り訂正復号ができないデータブロックの割合が閾値を上回ったとき、ホッピングパターンの変更を前記送信装置に対して要求するホッピングパターン変更要求手段をさらに具備することを特徴とする請求項１ないし４のいずれか１項に記載の受信装置。
【請求項６】
周波数または時間ホッピング方式の無線通信システムの受信装置であって、  通信中の送信局のホッピングパターンと他のｎ個の送信局のホッピングパターンとを比較して、ホッピングパターンの衝突が起こり得るシンボル位置の組み合わせであるｎ個の衝突候補パターンを検出するホッピングパターン衝突候補検出手段と、
誤り訂正符号化された受信信号に対して、前記ホッピングパターン衝突候補検出手段により検出された各々の衝突候補パターンに基づいて、前記ホッピングパターンの衝突が起こり得るシンボルをヌルシンボルに順次置換するヌルシンボル置換手段と、
前記ヌルシンボル置換手段の各々の出力に対して誤り訂正復号を行う誤り訂正復号手段と、
前記誤り訂正復号手段によって正しく誤り訂正復号できた結果を選択する選択手段と
を具備することを特徴とする受信装置。
【請求項７】
周波数または時間ホッピング方式の無線通信システムであって、
送信局と受信局とを有し、
前記受信局は、
通信相手の前記送信局に対して、信号の送信を指定の期間停止する要求を出す信号送信停止要求手段を有し、
前記送信局は、
前記受信局からの前記要求を受けて、前記受信局に対する信号の送信を指定の期間停止する信号送信停止手段を有し、
かつ、前記受信局は、
前記信号送信停止期間に受信電力を測定して、自局宛ての送信信号と他局宛ての送信信号との間でホッピングパターンの衝突が起きているシンボル位置を検出するホッピングパターン衝突検出手段と、
誤り訂正符号化された受信信号に対して、前記ホッピングパターン衝突検出手段により検出された位置のシンボルをヌルシンボルに置換するヌルシンボル置換手段と、
前記ヌル信号置換手段の出力に対して誤り訂正復号を行う誤り訂正復号手段と
を具備することを特徴とする無線通信システム。
【請求項８】
前記ヌル信号置換手段の出力に対して誤り訂正復号を行う誤り訂正復号手段を第１の誤り訂正復号手段として、この第１の誤り訂正復号手段とは別個に設けられ、誤り訂正符号化された受信信号に対して誤り訂正復号を行う第２の誤り訂正復号手段と、
前記第１の誤り訂正復号手段および前記第２の誤り訂正復号手段のそれぞれの出力のうち正しく誤り訂正復号できたいずれか一方の出力を選択する選択手段とをさらに具備することを特徴とする請求項７に記載の無線通信システム。
【発明の詳細な説明】
【技術分野】
【０００１】
この発明は、誤り訂正符号化された信号を、周波数または時間ホッピング方式により通信する無線通信システムおよび受信装置に関する。
【背景技術】
【０００２】
従来、周波数ホッピング方式を用いた無線通信システムにおいて、受信性能を高めてスループットを向上させるために、周波数チャネルごとに無線通信環境の誤り率特性を観測し、観測した誤り率に応じて周波数チャネルごとにパケット長を決定する方法がある（例えば特許文献１参照）。
【０００３】
また、干渉信号によるスループットの低下を抑える方法として、通信を開始する前に、各周波数領域において電波状態をスキャンし、干渉信号を検出した後に、干渉信号の存在する周波数を含まないホッピングパターンを決定する方法がある（例えば特許文献２参照）。
【特許文献１】特開２００３−１６３６５２号公報
【特許文献２】特開２００２−２５２５７３号公報
【発明の開示】
【発明が解決しようとする課題】
【０００４】
しかしながら、上記特許文献１の技術においては、受信装置側で周波数チャネル別に測定した誤り率を送信装置側に通知し、送信装置がその通知された周波数チャネル別の誤り率に基づいてパケット長を変更するので、誤り率データの通信のためのオーバヘッドが生じる。
【０００５】
上記特許文献２の技術においては、通信を行う前の干渉信号の存在を把握するため、通信を行う以前に存在していた干渉信号に対する影響を排除できるが、通信を行っている最中に新たに発生した干渉信号に対して、その影響を排除し得ない。また、通信を開始するたびに、各周波数領域において電波状態をスキャンし、干渉信号の存在する周波数を含まないホッピングパターンを決定する処理を行わなければならないため、そのためのオーバヘッドが大きくなる。
【０００６】
この発明は、上記のような課題を解決するためのもので、通信のオーバヘッドを大きく損うことなく、ホッピングパターンの衝突による受信性能の低下を防ぐことのできる無線通信システムと受信装置を提供することを目的とする。
【課題を解決するための手段】
【０００７】
上記の課題を解決するために、本発明の受信装置は、周波数または時間ホッピング方式の無線通信システムの受信装置であって、自局宛ての送信信号と他局宛ての送信信号との間でホッピングパターンの衝突が起きている受信シンボルを検出するホッピングパターン衝突検出手段と、誤り訂正符号化された受信信号に対して、ホッピングパターン衝突検出手段により検出された受信シンボルをヌルシンボルに置換するヌルシンボル置換手段と、ヌル信号置換手段の出力に対して誤り訂正復号を行う誤り訂正復号手段とを具備するものである。
【０００８】
この発明によれば、従来のシステムを変更することなく、ホッピングパターンの衝突を検出でき、ホッピングパターンの衝突が原因となる誤り訂正復号の性能劣化を防ぐことができる。さらに、ホッピングパターンの衝突に起因するホッピングパターン変更要求の頻度を結果的に下げることができるので、ホッピングパターンの再配置処理の頻度が削減し、システム全体のスループットが向上する。
【０００９】
本発明の受信装置において、ホッピングパターン衝突検出手段は、誤り訂正復号手段による誤り訂正に成功した受信信号を誤り訂正符号化する誤り訂正符号化手段と、誤り訂正符号化手段により誤り訂正符号化された信号と、誤り訂正復号手段による誤り訂正復号前の同一ブロックの受信信号とを比較して、誤りの発生しているビット位置を検出する誤り位置検出手段と、誤りの発生率が閾値を上回るビット位置を、ホッピングパターンの衝突が起きているシンボル位置として判定する誤りシンボル位置判定手段とを有するものであってよい。
【００１０】
これにより、ホッピングパターンの衝突が起きているシンボル位置を正確に検出できる。
【００１１】
また、本発明の受信装置において、ホッピングパターン衝突検出手段は、受信シンボル毎に、推定した理想受信信号と受信信号の差分電力を、自局宛ての送信信号と他局宛ての送信信号との間でホッピングパターンの衝突による干渉信号の電力として推定する干渉電力推定手段と、干渉電力推定手段により推定された干渉電力に基づいてホッピングパターンの衝突が起きているシンボルを判定する誤りシンボル判定手段とを具備するものであってよい。
【００１２】
このように、推定した理想信号と受信信号との差分電力を干渉信号の電力とみなすことで、ホッピングパターンの衝突が起きているシンボルを容易に特定することができる。
【００１３】
さらに、本発明の受信装置は、ヌル信号置換手段の出力に対して誤り訂正復号を行う誤り訂正復号手段を第１の誤り訂正復号手段として、この第１の誤り訂正復号手段とは別個に設けられ、誤り訂正符号化された受信信号に対して誤り訂正復号を行う第２の誤り訂正復号手段と、第１の誤り訂正復号手段および第２の誤り訂正復号手段のそれぞれの出力のうち正しく誤り訂正復号できたいずれか一方の出力を選択する選択手段とをさらに具備する構成してもよい。
【００１４】
このように、ヌルシンボルを挿入した場合と、挿入しない場合の両方について誤り訂正を行うことで、どちらか一方を行う場合と比較して、受信性能の悪い方を選択してしまうことがなく、受信性能を確実に向上することができる。
【００１５】
さらに、本発明の受信装置は、ホッピングパターンが衝突しているシンボル数が閾値を上回り、かつ、誤り訂正復号ができないデータブロックの割合が閾値を上回ったとき、ホッピングパターンの変更を前記送信装置に対して要求するホッピングパターン変更要求手段をさらに具備するものとしてもよい。
【００１６】
この構成によれば、ホッピングパターンの衝突が原因で受信信号の誤り率が大きくなっている場合にのみ、ホッピングパターンの変更を送信局に対して要求することで、データ転送スループットの向上が可能になる。また、ホッピングパターン変更要求の頻度を下げることで、送信局と受信局間のホッピングパターンの転送や、ホッピングパターン決定処理が起こる頻度を下げることができるため、システムの負荷を低減することができる。
【００１７】
また、本発明の別の観点による受信装置は、周波数または時間ホッピング方式の無線通信システムの受信装置であって、通信中の送信局のホッピングパターンと他のｎ個の送信局のホッピングパターンとを比較して、ホッピングパターンの衝突が起こり得るシンボル位置の組み合わせであるｎ個の衝突候補パターンを検出するホッピングパターン衝突候補検出手段と、誤り訂正符号化された受信信号に対して、ホッピングパターン衝突候補検出手段により検出された各々の衝突候補パターンに基づいて、ホッピングパターンの衝突が起こり得るシンボルをヌルシンボルに順次置換するヌルシンボル置換手段と、ヌルシンボル置換手段の各々の出力に対して誤り訂正復号を行う誤り訂正復号手段と、誤り訂正復号手段によって正しく誤り訂正復号できた結果を選択する選択手段とを具備するものである。
【００１８】
この発明によれば、通信中の基地局のホッピングパターンと他の基地局のホッピングパターンとを比較してホッピングパターンの衝突が起こる可能性があるシンボルの組み合せを検出することで、容易にホッピングパターンの衝突を検出することができ、ホッピングパターンの衝突が原因となる誤り訂正復号の性能劣化を防ぐことができる。さらに、この実施形態によってもホッピングパターンの衝突に起因するホッピングパターン変更要求の頻度を結果的に下げることができるので、ホッピングパターンの再配置処理の頻度が削減し、システム全体のスループットが向上する。
【００１９】
また、本発明の別の観点による無線通信システムは、周波数または時間ホッピング方式の無線通信システムであって、送信局と受信局とを有し、受信局は、通信相手の送信局に対して、信号の送信を指定の期間停止する要求を出す信号送信停止要求手段を有し、送信局は、受信局からの要求を受けて、受信局に対する信号の送信を指定の期間停止する信号送信停止手段を有し、かつ、受信局は、信号送信停止期間に受信電力を測定して、自局宛ての送信信号と他局宛ての送信信号との間でホッピングパターンの衝突が起きているシンボル位置を検出するホッピングパターン衝突検出手段と、誤り訂正符号化された受信信号に対して、ホッピングパターン衝突検出手段により検出された位置のシンボルをヌルシンボルに置換するヌルシンボル置換手段と、ヌル信号置換手段の出力に対して誤り訂正復号を行う誤り訂正復号手段とを具備するものである。
【００２０】
この発明によれば、受信局より自らに向けた信号の送信を指定期間停止する要求を受けて送信局が受信局へ向けた信号の送信を停止している期間に、受信局にて受信電力を測定し、自局宛ての送信信号と他局宛ての送信信号との間でホッピングパターンの衝突が起きているシンボル位置を検出することで、確実かつ容易にホッピングパターンの衝突を検出することができ、ホッピングパターンの衝突が原因となる誤り訂正復号の性能劣化を防ぐことができる。
【発明の効果】
【００２１】
本発明の無線通信システムおよび受信装置によれば、通信のオーバヘッドを大きく損うことなく、ホッピングパターンの衝突による受信性能の低下を防ぐことができる。
【発明を実施するための最良の形態】
【００２２】
以下、本発明を実施する場合の形態について図面を参照しながら詳細に説明する。
【００２３】
図１は本発明が適用される無線通信システムの構成を示す図である。
【００２４】
同図に示すように、この無線通信システムにおいて、第１の基地局１０１および第２の基地局１０２のそれぞれのセル１０６、１０７は一部重なり合っている。いま、端末１０３は、各基地局１０１、１０２のセル１０６、１０７が重なり合う領域に存在しており、電波強度のより高い側の基地局すなわち第１の基地局１０１のみと無線通信を行っている。
【００２５】
基地局１０１、１０２から端末１０３への信号１０４の送信は周波数ホッピング方式を用いて行われる。また、基地局１０１、１０２では、送信すべき信号に対して誤り訂正符号化が行われ、端末１０３は受信した信号を誤り訂正復号して基地局１０１、１０２からの送信情報を得る。なお、各々の基地局１０１、１０２にとって、自分以外の基地局が現在用いているホッピングパターンの種類と数は不明である。
【００２６】
第２の基地局１０２が端末１０３以外の端末と通信しているとき、端末１０３は、第１の基地局１０１から送信された信号１０４と同時に第２の基地局１０２から送信された信号１０５も受信することになる。このため、第１の基地局１０１で用いられているホッピングパターンと第２の基地局１０２で用いられているホッピングパターンとの間に衝突している部分があると、その衝突部分について、第２の基地局１０２から送信された信号１０５は、第１の基地局１０１から送信された信号１０４にとって干渉信号となり、端末１０３の受信性能を劣化させる要因の一つとなる。
【００２７】
図２は周波数ホッピング方式でのホッピングパターンの衝突の例を示すグラフである。各グラフ（ａ）（ｂ）（ｃ）（ｄ）はそれぞれ縦軸に周波数、横軸に時間をとっている。図２（ａ）（ｂ）に示すように、各基地局１０１、１０２は使用する周波数が一定時間毎に変化する周波数ホッピング方式を用いて信号を送信する。端末１０３は各基地局１０１、１０２からの信号を受信できる位置に存在しているので、端末１０３においては、図２（ｃ）に示すように、各基地局１０１、１０２の送信信号が重なった状態で受信される。端末１０３では、第１の基地局１０１で用いられている送信ホッピングパターンに合わせてサンプリングする受信信号を選択しているため、図２（ｄ）に示すように、ホッピングパターンの衝突が起きていない信号は第２の基地局１０２からの干渉信号の影響を受けないが、ホッピングパターンの衝突が起きている信号は干渉信号の影響を受け、端末１０３の受信性能を劣化させる要因となる。
【００２８】
そこで、図３に示すように、ホッピングパターンの衝突が起きている受信シンボルを検出し、その受信シンボルを、正常に伝送されたシンボルに影響を与えない信号であるヌルシンボルに置き換えて誤り訂正復号を行うことで、ホッピングパターンの衝突による受信性能の劣化抑制を図ることができる。
【００２９】
図４は、本発明の第１の実施形態に係る受信装置の構成を示す図である。この受信装置は図１の無線通信システムの端末１０３に用いられたものである。
【００３０】
同図に示すように、この受信装置は、基地局からの信号を受信する受信アンテナ２０１と、受信アンテナ２０１にて受信した信号に通信相手である基地局の送信ホッピングパターンに従って一定時間毎に変化する周波数信号を乗算するホッピングパターン乗算部２０２と、ホッピングパターン乗算部２０２の出力の帯域制限を行ってベースバンド周波数信号に変換する帯域通過フィルタ（以下、ＢＰＦと呼ぶ）２０３と、ＢＰＦ２０３の出力をデジタル信号に変換するＡ／Ｄ変換部２０４と、デジタル受信信号を復調する復調部２０５と、復調された受信信号においてホッピングパターンの衝突によって劣化した受信シンボルをヌルシンボルに置換するヌル信号挿入部２０６と、ヌル信号挿入部２０６の出力に対して誤り訂正復号を行う誤り訂正復号部２０７と、誤り訂正復号された信号において訂正しきれなかった信号の有無を検出する誤り検出部２０８と、当該受信装置を制御する上位レイヤ２０９と、自局宛ての送信信号と他局宛ての送信信号との間でホッピングパターンの衝突が起きている受信シンボルを検出するホッピングパターン衝突検出部２１０と、受信用のホッピングパターンを発生するホッピングパターン発生部２１１と、ホッピングパターン発生部２１１からのホッピングパターンに基づいてホッピングパターン乗算部２０２に周波数信号を出力する周波数シンセサイザ２１２とを備えている。
【００３１】
図５は、上記のホッピングパターン衝突検出部２１０の構成を示す図である。
【００３２】
同図に示すように、このホッピングパターン衝突検出部２１０は、誤り訂正復号部２０７による誤り訂正復号に成功した信号ブロックを誤り訂正符号化する誤り訂正符号化部２３１と、誤り訂正符号化部２３１の符号化信号と誤り訂正復号部２０７による誤り訂正復号前の復調受信信号とを比較して差異のあるビット位置を検出する誤り位置検出部２３２と、誤り位置検出部２３２によって検出された誤りビット位置の誤りの発生率が閾値を上回る場合に、そのビット位置をホッピングパターンの衝突が起きているシンボル位置として判定してヌル信号挿入部２０６に通知する誤りシンボル位置判定部２３３とを備えている。
【００３３】
次に、本実施形態の受信装置の動作を説明する。  
図６は第１の実施形態の受信装置の動作を示すフローチャートである。
【００３４】
受信アンテナ２０１で受信された信号は、ホッピングパターン乗算部２０２にて、周波数シンセサイザ２１２が発生する周波数信号つまり通信相手である第１の基地局１０１の送信ホッピングパターンに従って一定時間毎に変化する周波数信号と乗算され、乗算結果はＢＰＦ２０３を通過してベースバンド周波数信号に変換される。ホッピングパターンは通信の成立時にその通信相手である第１の基地局１０１から通知される。ＢＰＦ２０３を通過したベースバンド周波数信号は、Ａ／Ｄ変換部２０４にてデジタル信号に変換され、復調部２０５にて復調処理が行われる(ステップ６０１)。
【００３５】
前回までの復号処理においてホッピングパターンの衝突が既に検出されている場合は(ステップ６０２のＹＥＳ)、ヌル信号挿入部２０６にて、ホッピングパターン衝突検出部２１０から通知される位置のシンボルをヌルシンボルに置換するヌルシンボル挿入処理が行われる(ステップ６０３)。
【００３６】
この後、ヌルシンボルが挿入された信号ブロックに対して、誤り訂正復号部２０７での誤り訂正、誤り検出部２０８での誤り検出が行われ(ステップ６０４)、誤りが検出されなければ、その信号ブロックの信号が上位レイヤ２０９に出力される。
【００３７】
また、前回までの復号処理においてホッピングパターンの衝突が検出されていない場合は(ステップ６０２のＮＯ)、ヌルシンボルの挿入処理を行わず、ステップ６０４にて、復調信号に対して誤り訂正復号と誤り検出が行われる。
【００３８】
さらに、ステップ６０４での誤り検出の結果、誤りが検出されなかった場合(ステップ６０５のＮＯ)、誤りシンボル位置を検索するため、ホッピングパターン衝突検出部２１０の誤り訂正符号化部２３１にて、復号信号を誤り訂正符号化してその符号化信号を誤り位置検出部２３２へ与える(ステップ６０６)。誤り位置検出部２３２では、誤り訂正符号化部２３１より与えられた符号化信号と同一信号ブロックの誤り訂正復号前の受信信号とを比較し、差異のあるビット位置を誤りの発生しているビット位置として誤りシンボル位置判定部２３３に通知する(ステップ６０７)。誤りシンボル位置判定部２３３は、誤り位置検出部２３２からの誤りビット位置の履歴を記録しており、誤りの発生率が閾値を上回るビット位置を、ホッピングパターンの衝突が起きている誤りシンボル位置として判定し(ステップ６０８)、そのシンボル位置をヌル信号挿入部２０６に通知する。ヌル信号挿入部２０６は、この通知に従って、ステップ６０３にて受信信号の中の該当する位置のシンボルをヌルシンボルに置換する。
【００３９】
また、上位レイヤ２０９は、誤り訂正符号ブロックの誤り率（ＢＬＥＲ：ブロックエラーレート）を監視しており、ブロックエラーレートが閾値を超え(ステップ６０９のＹＥＳ)、かつ、衝突していると推測されるシンボルの数が閾値を越えた場合(ステップ６１０のＹＥＳ)、ホッピングパターンの衝突により、受信側での復号が困難であると判断し、通信相手である第１の基地局１０１に対してホッピングパターンの変更を要求する(ステップ６１１)。
【００４０】
このように、本実施形態の受信装置によれば、従来のシステムを変更することなく、ホッピングパターンの衝突を検出でき、ホッピングパターンの衝突が原因となる誤り訂正復号の性能劣化を防ぐことができる。さらに、ホッピングパターンの衝突に起因するホッピングパターン変更要求の頻度を結果的に下げることができるので、ホッピングパターンの再配置処理の頻度が削減し、システム全体のスループットが向上する。
【００４１】
次に、本発明の第２の実施形態を説明する。
【００４２】
図７は第２の実施形態に係る送受信装置の構成を示す図である。この送受信装置は図１の無線通信システムの端末１０３に用いられたものである。
【００４３】
同図に示すように、この送受信装置は、受信系の構成として、基地局からの信号を受信する受信アンテナ２０１と、受信アンテナ２０１にて受信した信号に通信相手である基地局の送信ホッピングパターンに従って一定時間毎に変化する周波数信号を乗算するホッピングパターン乗算部２０２と、ホッピングパターン乗算部２０２の出力の帯域制限を行ってベースバンド周波数信号に変換する帯域通過フィルタ（ＢＰＦ）２０３と、ＢＰＦ２０３の出力をデジタル信号に変換するＡ／Ｄ変換部２０４と、デジタル受信信号を復調する復調部２０５と、復調された受信信号においてホッピングパターンの衝突によって劣化したシンボルをヌルシンボルに置換するヌル信号挿入部２０６と、ヌル信号挿入部２０６の出力に対して誤り訂正復号を行う誤り訂正復号部２０７と、誤り訂正復号された信号において訂正しきれなかった信号の有無を検出する誤り検出部２０８と、当該送受信装置を制御する上位レイヤ２０９と、自局宛ての送信信号と他局宛ての送信信号との間でホッピングパターンの衝突が起きているシンボル位置を検出するホッピングパターン衝突検出部２４０と、送受信用のホッピングパターンを発生するホッピングパターン発生部２１１と、ホッピングパターン発生部２１１より与えられたホッピングパターンに基づいてホッピングパターン乗算部２０２に周波数信号を出力する周波数シンセサイザ２１２とを備えている。
【００４４】
また、この送受信装置は、送信系の構成として、通信相手の基地局に信号を送信する送信アンテナ２１３と、送信すべき信号にホッピングパターンに従って一定時間毎に変化する周波数信号を乗算するホッピングパターン乗算部２１４と、ホッピングパターン乗算部２１４に与える送信信号の帯域制限を行う帯域通過フィルタ（ＢＰＦ）２１５と、送信すべきデジタル変調信号をアナログ信号に変換するＤ／Ａ変換部２１６と、送信すべき信号を変調する変調部２１７と、送信すべき信号の誤り訂正符号化を行う誤り訂正符号化部２１８と、送信すべき信号の誤り検出符号化を行う誤り検出符号化部２１９と、ホッピングパターン発生部２１１より与えられたホッピングパターンに基づいてホッピングパターン乗算部２１４に周波数信号を出力する周波数シンセサイザ２２０とを備えている。
【００４５】
この実施形態の送受信装置は、通信相手である第１の基地局１０１に対して、端末１０３へ向けた信号の送信を指定期間停止するように要求する送信停止要求信号を送り、これを受けた第１の基地局１０１が端末１０３へ向けた信号の送信を停止している期間にホッピングパターン衝突検出部２４０にてホッピングパターンの衝突検出を行う。
【００４６】
ホッピングパターン衝突検出部２４０は、図４の受信装置のもの（ホッピングパターン衝突検出部２１０）とは異なる構成を有している。すなわち、ホッピングパターン衝突検出部２４０は、通信相手である第１の基地局１０１の送信停止期間に受信電力を測定する受信信号電力測定部２４１を備えている。この受信信号電力測定部２４１は、受信電力の測定値が閾値を越えている場合にホッピングパターンの衝突が起きていることを認識し、ヌル信号挿入部２０６に対して、そのホッピングパターンの衝突が起きているシンボルの位置を通知する。
【００４７】
次に、この実施形態の送受信装置の動作を説明する。  
図８は第２の実施形態の送受信装置の動作を示すフローチャートである。
【００４８】
上位レイヤ２０９は、誤り訂正符号ブロックの誤り率（ＢＬＥＲ：ブロックエラーレート）を監視しており、ブロックエラーレートが閾値よりも大きくなったとき（ステップ８０１のＹＥＳ）、ホッピングパターンの衝突が発生しているかどうかを確かめるために、通信相手である第１の基地局１０１に対して、ホッピングパターン１回分の送信を停止するように送信停止要求信号を出す（ステップ８０２）。この送信停止要求信号は、たとえば一回のホッピングパターン分の送信停止時間などを指定するための送信停止時間情報とタイミング情報とを含んでいる。
【００４９】
上位レイヤ２０９から出力された送信停止要求信号は、データ信号と同様に、誤り検出符号化部２１９にて誤り検出のために符号化された後、誤り訂正符号化部２１８にて誤り訂正のために符号化される。符号化された送信停止要求信号は変調部２１７にて変調され、Ｄ／Ａ変換部２１６にてアナログ信号に変換される。この後、送信停止要求信号は、ＢＰＦ２１５にて帯域制限された後、ホッピングパターン乗算部２１４にて、周波数シンセサイザ２２０から出力される周波数信号と乗算されて送信アンテナ２１３から送信される。
【００５０】
送信停止要求信号を受けた第１の基地局１０１は、たとえば図９（ａ）に示すように、送信停止要求信号に含まれる送信停止時間情報により指定される期間、タイミング情報により指定されるタイミングに従って、端末１０３に向けた信号の送信に停止期間を設ける。一方、端末１０３の通信相手ではない第２の基地局１０２は、送信停止要求信号を受けていないため、たとえば図９（ｂ）に示すように、信号の送信に停止期間を設けない。
【００５１】
このとき端末１０３の受信アンテナ２０１には、たとえば図１０（ａ）に示すように、第１の基地局１０１からの送信信号と第２の基地局１０２からの送信信号とが混在した状態で受信される。受信アンテナ２０１に受信された信号は、ホッピングパターン乗算部２０２にて、ホッピングパターン発生部２１１からの指示に従って周波数シンセサイザ２１２から発生する周波数信号と乗算された後、ＢＰＦ２０３に導入される。図１０（ｂ）はＢＰＦ２０３を通過した後の受信信号を示している。このように第１の基地局１０１の送信停止期間は第２の基地局１０２からの信号のみが受信される。
【００５２】
この受信信号はＡ／Ｄ変換部２０４にてデジタル信号に変換された後、復調部２０５に送られるとともに、ホッピングパターン衝突検出部２４０に送られる。ホッピングパターン衝突検出部２４０において、受信信号電力測定部２４１は、第１の基地局１０１の送信停止期間の受信電力を測定し、測定した受信電力が閾値を越えた場合にホッピングパターンの衝突が発生しているものと認識し、ヌル信号挿入部２０６に対してそのホッピングパターンの衝突の起きているシンボル位置を通知する（ステップ８０３）。
【００５３】
一方、復調部２０５では、受信信号に対して復調処理が行われ、その結果はヌル信号挿入部２０６へ導入される（ステップ８０４）。ヌル信号挿入部２０６では、復調された受信信号について、ホッピングパターン衝突検出部２４０より通知されたホッピングパターン衝突位置のシンボルをヌルシンボルに置換するヌル信号挿入処理が行われる（ステップ８０６）。この後、ヌルシンボルが挿入された信号ブロックに対して、誤り訂正復号部２０７での誤り訂正と誤り検出部２０８での誤り検出が行われ（ステップ８０７）、誤りが検出されなければ、その信号ブロックの信号が上位レイヤ２０９に出力される。
【００５４】
また、この誤り検出処理の後、誤り訂正符号ブロックのブロックエラーレートが閾値を超え（ステップ８０８のＹＥＳ）、かつ、ホッピングパターン衝突検出部２４０によりホッピングパターンの衝突が検出されたシンボルの数が閾値を越えた場合（ステップ８０９のＹＥＳ）、受信信号の復号が困難であると判断し、通信相手である第１の基地局１０１に対してホッピングパターンの変更を要求する（ステップ８１０）。
【００５５】
なお、ブロックエラーレートが閾値未満の場合は（ステップ８０８のＮＯ）、端末１０３から送信停止要求信号が発生しないことにより、ホッピングパターン衝突検出部２４０によるホッピングパターンの衝突検出は行われず、復調部２０５にて復調された信号はヌル信号挿入部２０６をスルーして誤り訂正復号部２０７へ送られる。
【００５６】
このように本実施形態によれば、端末１０３より自らに向けた信号の送信を指定期間停止する要求を受けて第１の基地局１０１が端末１０３へ向けた信号の送信を停止している期間に、端末１０３のホッピングパターン衝突検出部２４０にて受信電力を測定し、自局宛ての送信信号と他局宛ての送信信号との間でホッピングパターンの衝突が起きているシンボル位置を検出することで、確実かつ容易にホッピングパターンの衝突を検出することができ、ホッピングパターンの衝突が原因となる誤り訂正復号の性能劣化を防ぐことができる。さらに、この実施形態によってもホッピングパターンの衝突に起因するホッピングパターン変更要求の頻度を結果的に下げることができるので、ホッピングパターンの再配置処理の頻度が削減し、システム全体のスループットが向上する。
【００５７】
次に、本発明の第３の実施形態として、ホッピングパターン衝突検出部の他の実施形態を説明する。
【００５８】
図１１は第３の実施形態に係るホッピングパターン衝突検出部２５０の構成を示す図であり、この受信装置におけるホッピングパターン衝突検出部２５０以外の構成は図４に示した第１の実施形態の受信装置と同様である。
【００５９】
同図に示すように、このホッピングパターン衝突検出部２５０は、受信した個々のシンボルごとに、推定した理想信号と実際の受信信号との差分電力を干渉信号の電力として推定する誤差成分電力推定部２５１と、誤差成分電力推定部２５１の推定結果に基づいてホッピングパターンの衝突を判断する誤りシンボル位置判定部２５２とを備えている。
【００６０】
図１２は本実施形態の受信装置の動作を示すフローチャートである。
【００６１】
図４に示したように、アンテナ２０１で受信された信号は、ホッピングパターン乗算部２０２にて、周波数シンセサイザ２１２が発生する周波数信号と乗算され、乗算結果はＢＰＦ２０３を通過してベースバンド周波数信号に変換される。ＢＰＦ２０３を通過した信号は、Ａ／Ｄ変換部２０４でデジタル信号に変換され、復調部２０５にて復調処理が行われる(ステップ１２０１)。
【００６２】
復調信号は、図１１に示すように、ホッピングパターン衝突検出部２５０の誤差成分電力推定部２５１に入力される。誤差成分電力推定部２５１は、復調信号を用いて、各々の受信シンボルについて、推定した理想信号と受信信号との差分電力を干渉信号の電力として推定して(ステップ１２０２)、その結果を誤りシンボル位置判定部２５２に与える。
【００６３】
誤りシンボル位置判定部２５２は、誤差成分電力推定部２５１より入力した受信シンボルごとの干渉信号の電力に基づいてホッピングパターンの衝突が起きているシンボルを判定する(ステップ１２０３)。具体的には、あらかじめ決められたホッピングパターン回数分の干渉信号電力の平均値が閾値を上回った場合、あるいは干渉信号電力の累積値が閾値を上回った場合に、そのシンボルがホッピングパターンの衝突が起きているものと判断し(ステップ１２０４のＹＥＳ)、そのシンボルの位置をヌル信号挿入部２０６に通知する。ヌル信号挿入部２０６は、この通知に従って、受信信号の該当する位置のシンボルをヌルシンボルに置き換える(ステップ１２０５)。
【００６４】
この後、ヌルシンボルが挿入された信号ブロックに対して、誤り訂正復号部２０７での誤り訂正、誤り検出部２０８での誤り検出が行われ(ステップ１２０６)、誤りが検出されなければ、その信号ブロックの信号が上位レイヤ２０９に出力される。
【００６５】
また、ホッピングパターン衝突検出部２５０にて、ホッピングパターンの衝突が検出されない場合は(ステップ１２０４のＮＯ)、ヌルシンボルの挿入を行わず、ステップ１２０６にて、復調信号に対して誤り訂正復号と誤り検出が行われる。
【００６６】
また、上位レイヤ２０９は、誤り訂正符号ブロックのブロックエラーレートを監視しており、ブロックエラーレートが閾値を超え(ステップ１２０７のＹＥＳ)、かつ、衝突していると推測されるシンボルの数が閾値を越えた場合(ステップ１２０８のＹＥＳ)、ホッピングパターンの衝突により、受信側での復号が困難であると判断し、通信相手である第１の基地局１０１に対して、ホッピングパターンの変更を要求する(ステップ１２０９)。
【００６７】
このように、本実施形態によれば、推定した理想信号と受信信号との差分電力を干渉信号の電力とみなすことで、ホッピングパターンの衝突が起きているシンボルを容易に特定することができる。
【００６８】
次に、本発明の第４の実施形態を説明する。
【００６９】
図１３は第４の実施形態に係る受信装置の構成の一部を示す図である。
【００７０】
同図に示すように、この受信装置は、図示しない受信アンテナによって受信され、ホッピングパターンの乗算処理、帯域制限処理、Ａ／Ｄ変換処理を経て得られたデジタル受信信号を復調する復調部２０５と、復調された受信信号においてホッピングパターンの衝突によって劣化した受信シンボルをヌルシンボルに置換するヌル信号挿入部２０６と、ヌル信号挿入部２０６の出力に対して誤り訂正復号を行う第１の誤り訂正復号部２０７Ａと、第１の誤り訂正復号部２０７Ａにて誤り訂正復号された信号において訂正しきれなかった信号の有無を検出する第１の誤り検出部２０８Ａと、復調された信号ブロックの誤り訂正復号を行う第２の誤り訂正復号部２０７Ｂと、第２の誤り訂正復号部２０７Ｂにて誤り訂正復号された信号において訂正しきれなかった信号の有無を検出する第２の誤り検出部２０８Ｂと、自局宛ての送信信号と他局宛ての送信信号との間でホッピングパターンの衝突が起きている受信シンボルを検出するホッピングパターン衝突検出部２１４と、第１の誤り検出部２０８Ａおよび第２の誤り検出部２０８Ｂの誤り検出結果に基づいて、第１の誤り訂正復号部２０７Ａおよび第２の誤り訂正復号部２０７Ｂのいずれかの誤り訂正復号結果を選択して上位レイヤ２０９に出力する選択部２１３とを備えている。この受信装置の構成は、図４に示した第１の実施形態の受信装置、あるいは、図７に示した第２の実施形態の送受信装置に適用することが可能である。また、ホッピングパターン衝突検出部２１４に、図１１に示したホッピングパターン衝突検出部２５０を用いることも可能である。
【００７１】
図１４は本実施形態の受信装置の動作を示すフローチャートである。
【００７２】
図示しない受信アンテナによって受信され、ホッピングパターンの乗算処理、帯域制限処理、Ａ／Ｄ変換処理を経て得られたデジタル受信信号は、復調部２０５にて復調される(ステップ１４０１)。復調された信号に対して、ホッピングパターン衝突検出部２１４にて上で述べた方法によりホッピングパターンの衝突検出が行われる（ステップ１４０２）。また、復調された信号は、第２の誤り訂正復号部２０７Ｂにて誤り訂正復号が行われ、誤り訂正復号された信号に対して第２の誤り検出部２０８Ｂにて誤り検出が行われる（ステップ１４０３）。ここで、誤りが検出されない場合（ステップ１４０４のＮＯ）、ホッピングパターン衝突検出部２１４によるホッピングパターンの衝突検出結果に係らず、選択部２１３によって第２の誤り訂正復号部２０７Ｂの誤り訂正復号結果が上位レイヤ２０９に出力される。
【００７３】
また、第２の誤り検出部２０８Ｂにて誤りが検出され（ステップ１４０４のＹＥＳ）、かつ、ホッピングパターン衝突検出部２１４によりホッピングパターンの衝突が検出された場合（ステップ１４０５のＹＥＳ）、ヌル信号挿入部２０６にて、復調された信号に対して、ホッピングパターンの衝突の影響を受けているものと判断されるシンボルがヌルシンボルに置換する処理が行われる（ステップ１４０６）。この後、第１の誤り訂正復号部２０７Ａにて、ヌルシンボルの挿入が行われた信号ブロックに対する誤り訂正復号が行われ、その誤り訂正復号に対して第１の誤り検出部２０８Ａにて誤り検出が行われる（ステップ１４０７）。この結果、誤りが検出されない場合（ステップ１４０４のＮＯ）、選択部２１３によって第２の誤り訂正復号部２０７Ｂの誤り訂正復号結果が上位レイヤ２０９に出力される。
【００７４】
また、上位レイヤ２０９は、誤り訂正符号ブロックのブロックエラーレートを監視しており、ブロックエラーレートが閾値を超え(ステップ１４０８のＹＥＳ)、かつ、衝突していると推測されるシンボルの数が閾値を越えた場合(ステップ１４０９のＹＥＳ)、ホッピングパターンの衝突により、受信側での復号が困難であると判断し、通信相手である第１の基地局１０１に対して、ホッピングパターンの変更を要求する(ステップ１４１０)。
【００７５】
このように本実施形態によれば、ヌルシンボルを挿入した場合と、挿入しない場合の両方について誤り訂正を行うことで、どちらか一方を行う場合と比較して、受信性能の悪い方を選択してしまうことがなく、受信性能を確実に向上することができる。
【００７６】
次に、本発明の第５の実施形態を説明する。  
図１５は第５の実施形態に係る受信装置の構成を示す図である。  
同図に示すように、この受信装置は、基地局からの信号を受信する受信アンテナ２０１と、受信アンテナ２０１にて受信した信号に通信相手である基地局の送信ホッピングパターンに従って一定時間毎に変化する周波数信号を乗算するホッピングパターン乗算部２０２と、ホッピングパターン乗算部２０２の出力の帯域制限を行ってベースバンド周波数信号に変換する帯域通過フィルタ（ＢＰＦ）２０３と、ＢＰＦ２０３の出力をデジタル信号に変換するＡ／Ｄ変換部２０４と、デジタル受信信号を復調する復調部２０５と、復調した信号ブロックの誤り訂正復号を行う誤り訂正復号部２０７と、誤り訂正復号部２０７によって誤り訂正復号された信号において訂正しきれなかった信号の有無を検出する誤り検出部２０８と、当該受信装置を制御する上位レイヤ２０９と、上位レイヤ２０９から取得した、通信中の基地局のホッピングパターンと他の基地局のホッピングパターンとを比較してホッピングパターンの衝突が起こる可能性があるシンボルの組み合せを衝突候補パターンとして検出するホッピングパターン衝突候補検出部２１５と、復調された受信信号において各々の衝突候補パターンに対応する位置のシンボルをヌルシンボルに置換するｎ個のヌル信号挿入部２０６−１〜２０６−ｎと、ヌル信号挿入部２０６−１〜２０６−ｎの出力に対してそれぞれ誤り訂正復号を行うｎ個の誤り訂正復号部２０７−１〜２０７−ｎと、誤り訂正復号部２０７−１〜２０７−ｎによって誤り訂正復号された信号において訂正しきれなかった信号の有無をそれぞれ検出するｎ個の誤り検出部２０８−１〜２０８−ｎと、受信用のホッピングパターンを発生するホッピングパターン発生部２１１と、ホッピングパターン発生部２１１より与えられたホッピングパターンに基づいてホッピングパターン乗算部２０２に周波数信号を出力する周波数シンセサイザ２１２と、誤り検出部２０８およびｎ個の誤り検出部２０８−１〜２０８−ｎの誤り検出結果に基づいて、誤り訂正復号部２０７およびｎ個の誤り訂正復号部２０７−１〜２０７−ｎのいずれかの誤り訂正復号結果を選択して上位レイヤ２０９に出力する選択部２１３とを備えている。
【００７７】
図１６は本実施形態の受信装置の動作を示すフローチャートである。
【００７８】
アンテナ２０１で受信された信号は、ホッピングパターン乗算部２０２にて、周波数シンセサイザ２１２が発生する周波数信号つまり通信相手である第１の基地局１０１の送信ホッピングパターンに従って一定時間毎に変化する周波数信号と乗算され、乗算結果はＢＰＦ２０３を通過してベースバンド周波数信号に変換される。ＢＰＦ２０３を通過した信号は、Ａ／Ｄ変換部２０４でデジタル信号に変換され、復調部２０５にて復調処理が行われる(ステップ１６０１)。復調された信号に対して、誤り訂正復号部２０７にて誤り訂正復号が行われ、誤り訂正復号された信号に対して誤り検出部２０８にて誤り検出が行われる（ステップ１６０２）。ここで、誤りが検出されない場合（ステップ１６０３のＮＯ）、選択部２１３によって誤り訂正復号部２０７の誤り訂正復号結果が上位レイヤ２０９に出力される。
【００７９】
誤り検出部２０８にて誤りが検出された場合（ステップ１６０３のＹＥＳ）、ホッピングパターン衝突候補検出部２１５は、上位レイヤ２０９から通信中の基地局以外のｎ個の基地局で用いられているホッピングパターンの情報を受け取る。そして、これらのホッピングパターンと、通信中の基地局で用いられているホッピングパターンとをそれぞれ比較し、ホッピングパターンの衝突が起こる可能性のあるシンボルの組み合わせであるｎ個の衝突候補パターンを生成し(ステップ１６０５)、個々の衝突候補パターンをそれぞれ対応するヌル信号挿入部２０６−１〜２０６−ｎに通知する。
【００８０】
ｎ個のヌル信号挿入部２０６−１〜２０６−ｎは、ホッピングパターン衝突候補検出部２１５から通知された衝突候補パターンに基づいてヌルシンボルの挿入処理を行う。ここで、ｎ個のヌル信号挿入部２０６−１〜２０６−ｎは一部ずつ処理を実行する。すなわち、ヌル信号挿入部２０６−１によって１つ目の衝突候補パターンに基づくヌルシンボルの挿入が行われた信号ブロックが得られた後(ステップ１６０６)、この信号ブロックに対して誤り訂正復号部２０７−１にて誤り訂正復号が行われ、この誤り訂正復号に対して誤り検出部２０８−１にて誤り検出が行われる(ステップ１６０２)。ここで、誤りが検出されない場合（ステップ１６０３のＮＯ）、選択部２１３によって誤り訂正復号部２０７−１の誤り訂正復号結果が上位レイヤ２０９に出力される。再び誤りが検出された場合には（ステップ１６０３のＹＥＳ）、ヌル信号挿入部２０６−２による２つ目の衝突候補パターンに基づくヌルシンボル挿入処理が行われて同様に誤り訂正復号と誤り検出が繰り返される。このように誤りが検出される限り、次の衝突候補パターンに基づくヌルシンボル挿入処理、誤り訂正復号、誤り検出が、全ての衝突候補パターンに基づく処理が終了するまで同様に繰り返される。
【００８１】
このように本実施形態の受信装置によれば、通信中の基地局のホッピングパターンと他の基地局のホッピングパターンとを比較してホッピングパターンの衝突が起こる可能性があるシンボルの組み合せを検出することで、容易にホッピングパターンの衝突を検出することができ、ホッピングパターンの衝突が原因となる誤り訂正復号の性能劣化を防ぐことができる。さらに、この実施形態によってもホッピングパターンの衝突に起因するホッピングパターン変更要求の頻度を結果的に下げることができるので、ホッピングパターンの再配置処理の頻度が削減し、システム全体のスループットが向上する。
【００８２】
以上、周波数ホッピングを用いた無線通信方式について説明したが、本発明は時間ホッピング通信方式にも適用できる。
【００８３】
以下、本発明の第６の実施形態として、時間ホッピング通信方式の受信装置について説明する。
【００８４】
図１７は時間ホッピング方式でのホッピングパターンの衝突の例を示すグラフである。各グラフ（ａ）（ｂ）（ｃ）（ｄ）はそれぞれ横軸に時間をとっている。図１７（ａ）（ｂ）に示すように、各基地局１０１、１０２（図１参照）は一定時間ごとに、使用する時間が変化する時間ホッピング方式を用いて信号を送信する。端末１０３は各基地局１０１、１０２からの信号を受信できる位置に存在しているので、端末１０３においては、図１７（ｃ）に示すように、各基地局１０１、１０２の送信信号が重なった状態で受信される。端末１０３では、第１の基地局１０１で用いられている送信ホッピングパターンに合わせてサンプリングする受信信号を選択しているため、図１７（ｄ）に示すように、ホッピングパターンの衝突が起きていない信号は、第２の基地局１０２からの干渉信号の影響を受けないが、ホッピングパターンの衝突が起きている信号は干渉信号の影響を受け、端末１０３の受信性能が劣化する。
【００８５】
図１８は第６の実施形態に係る時間ホッピング通信方式の受信装置の構成を示す図である。  
同図に示すように、この受信装置は、基地局からの信号を受信する受信アンテナ４０１と、受信アンテナ４０１にて受信した信号にシステムにて定められた一定周波数の搬送周波数信号を乗算する乗算部４０２と、乗算結果の帯域制限を行ってベースバンド周波数信号に変換する帯域通過フィルタ（ＢＰＦ）４０３と、帯域制限後の受信信号をデジタル信号に変換するＡ／Ｄ変換部４０４と、デジタル受信信号から自端末宛の信号を選択するサンプルセレクタ４０５と、サンプルセレクタ４０５の信号選択タイミングを制御するタイミング制御部４０６と、基地局との通信の成立時に基地局より通知されたホッピングパターンに応じた信号選択タイミングをタイミング制御部４０６に通知するホッピングパターン発生部４０７と、サンプルセレクタ４０５により選択された受信信号を復調する復調部４０８と、復調した受信信号においてホッピングパターンの衝突によって劣化したシンボルをヌルシンボルに置換するヌル信号挿入部４０９と、ヌル信号挿入部４０９を通過した信号ブロックの誤り訂正復号を行う誤り訂正復号部４１０と、誤り訂正復号部４１０によって誤り訂正復号された信号において訂正しきれなかった信号の有無を検出する誤り検出部４１１と、当該送受信装置を制御する上位レイヤ４１２と、ホッピングパターンの衝突を検出するホッピングパターン衝突検出部４１３とを備えている。
【００８６】
ホッピングパターン衝突検出部４１３には、たとえば、図５に示したように、誤り訂正復号が成功した信号ブロックについて誤り訂正符号化を行う誤り訂正符号化部２３１と、誤り訂正符号化部２３１の出力信号と復調信号とを比較して差異のあるシンボル位置を誤りシンボルの位置として検索する誤り位置検出部２３２と、誤り位置検出部２３２によって得られた誤りシンボル位置の履歴を記録するとともに、指定の評価基準に従って履歴上の各々の誤りシンボル位置がホッピングパターンの衝突が起きているシンボルかどうかを判断し、ヌル信号挿入部２０６に対して指示を出す誤りシンボル位置判定部２３３とを備えたホッピングパターン衝突検出部２１０などをそのまま用いることができる。
【００８７】
次に、この受信装置の動作を説明する。
【００８８】
受信アンテナ４０１で受信された信号は、乗算部４０２にて、システムにて定められた一定周波数の搬送周波数信号と乗算され、乗算結果はＢＰＦ４０３を通過してベースバンド周波数信号に変換され、Ａ／Ｄ変換部４０４にてデジタル信号に変換されてサンプルセレクタ４０５に導入される。
【００８９】
サンプルセレクタ４０５では、ホッピングパターン発生部４０７が発生する信号選択タイミングに基づくタイミング制御部４０６からの指示に従って、受信信号から自端末宛の信号を選択されて復調部４０８に入力され、復調部２０５にて自端末宛の信号に対する復調が行われる。
【００９０】
ここで、前回までの復号処理においてホッピングパターン衝突検出部４１３にてホッピングパターンの衝突が検出されている場合は、ヌル信号挿入部４０９にて、ホッピングパターンの衝突による影響を受けていると推定されるシンボルがヌルシンボルに置き換えられる。この後、ヌルシンボルが挿入された信号ブロックに対して、誤り訂正復号部４１０での誤り訂正、誤り検出部４１１での誤り検出が行われ、誤りが検出されなければ、その誤り訂正復号の結果が上位レイヤ４１２にわたされる。
【００９１】
また、前回までの復号処理においてホッピングパターンが衝突していないと判断された場合は、ヌルシンボルの挿入を行わず、復調信号に対して誤り訂正復号と誤り検出が行われる。
【００９２】
さらに、誤り検出の結果、誤りが検出されなかった場合、誤りシンボル位置を検索するため、ホッピングパターン衝突検出部４１３にて、ホッピングパターンの衝突の影響を受けているシンボルの位置を判断してその結果をヌル信号挿入部２０６に通知する。
【００９３】
また、上位レイヤ４１２は、誤り訂正符号ブロックの誤り率を監視しており、ブロックエラーレートが閾値を超え、かつ、衝突していると推測されるシンボルの数が閾値を越えた場合、ホッピングパターンの衝突により、受信側での復号が困難であると判断し、通信相手である基地局に対してホッピングパターンの変更を要求する。
【００９４】
このように、本実施形態の受信装置によれば、従来のシステムを変更することなく、時間ホッピング方式でのホッピングパターンの衝突を検出でき、ホッピングパターンの衝突が原因となる誤り訂正復号の性能劣化を防ぐことができる。さらに、ホッピングパターンの衝突に起因するホッピングパターン変更要求の頻度を結果的に下げることができるので、ホッピングパターンの再配置処理の頻度が削減し、システム全体のスループットが向上する。
【００９５】
ところで、図１３に示した第４の実施形態では、ヌルシンボルを挿入した信号と、挿入しない信号の両方について誤り訂正を並列して同時に行うように構成したが、ヌルシンボルを挿入した信号に対する誤り訂正および誤り検出とヌルシンボルを挿入しない信号に対する誤り訂正および誤り検出とを順番に行い、いずれか一方の誤り訂正復号結果を上位レイヤに出力するように構成してもよい。
【００９６】
この場合の受信装置の構成の一部を第７の実施形態として図１９に示す。同図に示すように、この受信装置は、図示しない受信アンテナによって受信され、ホッピングパターンの乗算処理、帯域制限処理、Ａ／Ｄ変換処理を経て得られたデジタル受信信号を復調する復調部１９０１と、復調した信号を一時的に保存する復調信号バッファ１９０２と、復調された受信信号においてホッピングパターンの衝突によって劣化した受信シンボルをヌルシンボルに置換するヌル信号挿入部１９０３と、誤り訂正復号された結果の誤り検出手段における誤りの有無によって、ヌル信号が挿入されていない受信信号か、もしくは、ヌル信号が挿入された信号を選択する選択部１９０９と、復調された信号ブロックの誤り訂正復号を行う誤り訂正復号部１９０４と、誤り訂正復号部１９０４にて誤り訂正復号された信号において訂正しきれなかった信号の有無を検出する誤り検出部１９０５と、誤り検出部１９０５の誤り検出結果に基づいて、誤り訂正復号結果と誤り検出結果の少なくともいずれか一方を上位レイヤ１９０８に出力する出力判定部１９０６と、自局宛ての送信信号と他局宛ての送信信号との間でホッピングパターンの衝突が起きている受信シンボルを検出するホッピングパターン衝突検出部１９０７とを備えている。
【図面の簡単な説明】
【００９７】
【図１】本発明が適用される無線通信システムの構成を示す図である。
【図２】周波数ホッピング方式でのホッピングパターンの衝突の例を示すグラフである。
【図３】本発明の原理を説明するための図である。
【図４】本発明の第１の実施形態に係る周波数ホッピング方式の受信装置の構成を示す図である。
【図５】図４のホッピングパターン衝突検出部の構成を示す図である。
【図６】第１の実施形態の受信装置の動作を示すフローチャートである。
【図７】第２の実施形態に係る周波数ホッピング方式の送受信装置の構成を示す図である。
【図８】第２の実施形態の送受信装置の動作を示すフローチャートである。
【図９】通信相手の基地局の送信信号および他の基地局の送信信号のポッピングパターンと送信停止の例を示す図である。
【図１０】図９のポッピングパターンに対する端末の受信信号およびＢＰＦ通過後の信号の例を示す図である。
【図１１】第３の実施形態に係る周波数ホッピング方式の受信装置のホッピングパターン衝突検出部の構成を示す図である。
【図１２】第３の実施形態に係る受信装置の動作を示すフローチャートである。
【図１３】第４の実施形態に係る周波数ホッピング方式の受信装置の構成の一部を示す図である。
【図１４】第４の実施形態に係る受信装置の動作を示すフローチャートである。
【図１５】第５の実施形態に係る周波数ホッピング方式の受信装置の構成を示す図である。
【図１６】第５の実施形態に係る受信装置の動作を示すフローチャートである。
【図１７】時間ホッピング方式でのホッピングパターンの衝突の例を示すグラフである。
【図１８】第６の実施形態に係る時間ホッピング通信方式の受信装置の構成を示す図である。
【図１９】第７の実施形態に係る時間ホッピング通信方式の受信装置の構成を示す図である。
【符号の説明】
【００９８】
１０１，１０２・・・基地局、１０３・・・端末、２０１・・・受信アンテナ、２０２・・・ホッピングパターン乗算部、２０４・・・Ａ／Ｄ変換部、２０５・・・復調部、２０６・・・ヌル信号挿入部、２０７・・・誤り訂正復号部、２０８・・・誤り検出部、２０９・・・上位レイヤ、２１０・・・ホッピングパターン衝突検出部、２１１・・・ホッピングパターン発生部、２１２・・・周波数シンセサイザ、２１３・・・選択部、２３１・・・誤り訂正符号化部、２３２・・・誤り位置検出部、２３３・・・誤りシンボル位置判定部、２４０・・・ホッピングパターン衝突検出部、２４１・・・受信信号電力測定部、２５０・・・ホッピングパターン衝突検出部、２５１・・・誤差成分電力推定部、２５２・・・誤りシンボル位置判定部。
【図１】
2006165697.tif 000003
【図２】
2006165697.tif 000004
【図３】
2006165697.tif 000005
【図４】
2006165697.tif 000006
【図５】
2006165697.tif 000007
【図６】
2006165697.tif 000008
【図７】
2006165697.tif 000009
【図８】
2006165697.tif 000010
【図９】
2006165697.tif 000011
【図１０】
2006165697.tif 000012
【図１１】
2006165697.tif 000013
【図１２】
2006165697.tif 000014
【図１３】
2006165697.tif 000015
【図１４】
2006165697.tif 000016
【図１５】
2006165697.tif 000017
【図１６】
2006165697.tif 000018
【図１７】
2006165697.tif 000019
【図１８】
2006165697.tif 000020
【図１９】
2006165697.tif 000021